(57)【特許請求の範囲】
【請求項１】
外部からの空気の流入が可能な流入口及び外部への空気の流出が可能な流出口を備えたケーシング内に、前記流入口と流出口とを結ぶ通風路と、該通風路内にイオンを放出するイオン発生器とを設け、送風機の吹出口に隣り合うように設置されるイオン発生装置であって、
前記ケーシングは取付対象物に対する取付面及び該取付面と鋭角をなすように傾斜した導風面を外面に有し、
該導風面における前記取付面との距離が短い側に前記流入口を設け、
前記導風面における前記取付面との距離が長い側に前記流出口を設けてあることを特徴とするイオン発生装置。
【請求項２】
外部からの空気の流入が可能な流入口及び外部への空気の流出が可能な流出口を備えたケーシング内に、前記流入口と流出口とを結ぶ通風路と、該通風路内にイオンを放出するイオン発生器とを設け、送風機の吹出口に隣り合うように設置されるイオン発生装置であって、
前記ケーシングは、壁に沿う方向に送風する前記送風機の吹出口に隣り合う壁面に取り付けられる取付面及び該取付面と鋭角をなすように傾斜した２つの傾斜面を外面に有し、該２つの傾斜面の一方に前記流入口を設け、他方に前記流出口を設けてあることを特徴とするイオン発生装置。
【請求項３】
外部からの空気の流入が可能な流入口及び外部への空気の流出が可能な流出口を備えたケーシング内に、前記流入口と流出口とを結ぶ通風路と、該通風路内にイオンを放出するイオン発生器とを設け、送風機の吹出口に隣り合うように設置されるイオン発生装置であって、
前記ケーシングは、壁に沿う方向に送風する前記送風機の吹出口に隣り合う壁面に取り付けられる取付面及び該取付面と鋭角をなすように傾斜した導風面を外面に有し、
該導風面における前記取付面との距離が短い側に前記流入口を設け、
前記導風面における前記取付面との距離が長い側に前記流出口を設けてあることを特徴とするイオン発生装置。
【請求項４】
前記流出口を設けた側の前記導風面の端部と前記取付面とを繋ぐ部分に第２の流出口を設け、
前記通風路内に、前記流入口から前記第２の流出口に向かう空気の一部を前記流出口に導く案内部を設け、
前記イオン発生器は前記案内部よりも前記流入口に近い側に設けてあることを特徴とする請求項１又は３に記載のイオン発生装置。
【請求項５】
前記流入口及び前記流出口は、夫々前記導風面における前記取付面との距離が短い側と長い側とを結ぶ方向に平行なスリット状の開口部をなして、前記導風面における前記取付面との距離が短い側と長い側とを結ぶ方向と交差する方向に複数並設され、
前記流入口と前記流出口とは、スリットの長手方向で整列し、前記並設した方向での位置が同位置であることを特徴とする請求項１又は３に記載のイオン発生装置。
【請求項６】
前記流入口及び前記流出口は、前記導風面における前記取付面との距離が短い側と長い側とを結ぶ方向に連なり、該連なり方向に平行なスリット状の開口部であり、前記導風面における前記取付面との距離が短い側と長い側とを結ぶ方向と交差する方向に複数並設されていることを特徴とする請求項１又は３に記載のイオン発生装置。
【請求項７】
前記複数のスリット状の開口部は夫々の並設方向でのスリット幅が並設方向で隣り合う開口部の端部間の離隔距離よりも広いことを特徴とする請求項５又は６に記載のイオン発生装置。
【請求項８】
外部からの空気の流入が可能な流入口及び外部への空気の流出が可能な流出口を備えたケーシング内に、前記流入口と流出口とを結ぶ通風路と、該通風路内にイオンを放出するイオン発生器とを設け、送風機の吹出口に隣り合うように設置されるイオン発生装置であって、
前記ケーシングは、取付対象物に対する取付面及び該取付面と鋭角をなすように傾斜した２つの傾斜面を外面に有し、該２つの傾斜面の一方に前記流入口を設け、他方に前記流出口を設けてあることを特徴とするイオン発生装置。
【発明の詳細な説明】
【技術分野】
【０００１】
本発明は、壁等に設置された送風機の吹出口に隣り合うように設置されるイオン発生装置に関する。
【背景技術】
【０００２】
近年、イオンによって居住空間内の空気を清浄化する空気清浄機が実用化されている。空気清浄機では、送風機が外部から吸い込んだ空気が流れる送風路内にプラスイオン及びマイナスイオンを発生させるイオン発生器が配設され、発生したイオンを吹き出される空気と共に外部へ放出させている。放出されたイオンは、室内等の居住空間において空気中の浮遊粒子を不活性化させ、浮遊細菌（カビ菌等）を死滅させると共に臭気成分を変性させる。その結果、居住空間内の空気が清浄化される。
【０００３】
特許文献１には、室内機にプラズマ発生器（イオン発生器）を備えた天井埋込型空気調和機が開示されている。プラズマ発生器からは、イオン、オゾン、ヒドロキシラジカルなどが生成され、臭気成分、菌、ウイルスを分解し、無害化する。
【先行技術文献】
【特許文献】
【０００４】
【特許文献１】特開２００６−２９６６５号公報
【発明の概要】
【発明が解決しようとする課題】
【０００５】
従来の空気清浄機能を有する天井埋込型空気調和機では、予めイオン発生器を内蔵している。イオン発生器を内蔵していない天井埋込型空気調和機にイオン発生器を設ける場合には、既に設置されている天井埋込型空気調和機の大規模な改造が必要となる。
【０００６】
本発明は、上述した事情に鑑みてなされたものであり、壁等に設置されている空気調和機等の送風機を改造することなく、該送風機が発生する風を利用してイオンを居住空間内に効率よく拡散することができるイオン発生装置を提供することを目的とする。
【課題を解決するための手段】
【０００７】
本発明に係るイオン発生装置は、外部からの空気の流入が可能な流入口及び外部への空気の流出が可能な流出口を備えたケーシング内に、前記流入口と流出口とを結ぶ通風路と、該通風路内にイオンを放出するイオン発生器とを設け、送風機の吹出口に隣り合うように設置されるイオン発生装置であって、前記ケーシングは取付対象物に対する取付面及び該取付面と鋭角をなすように傾斜した導風面を外面に有し、該導風面における前記取付面との距離が短い側に前記流入口を設け、前記導風面における前記取付面との距離が長い側に前記流出口を設けてあることを特徴とする。
本発明においては、ケーシングの外面の取付面を取付対象物に取り付け、送風機の吹出口から吹き出す空気が取付面の方向に沿って該取付面と鋭角をなすように傾斜したケーシングの外面の導風面に向かうように該送風機に隣り合わせて設置することにより、送風機の吹出口から吹き出した空気が導風面に取付面との距離が短い側から長い側に向かって当たると、導風面に沿って流れるとともに空気の一部が導風面の取付面との距離が短い側に設けた流入口からケーシング内に流入して通風路を流れ、通風路を流れるときにイオン発生器が放出するイオンが付加され、イオンを含む空気は導風面の取付面との距離が長い側に位置する流出口から外部に流出して導風面に沿って流れる空気に合流する。
【０００８】
本発明に係るイオン発生装置は、外部からの空気の流入が可能な流入口及び外部への空気の流出が可能な流出口を備えたケーシング内に、前記流入口と流出口とを結ぶ通風路と、該通風路内にイオンを放出するイオン発生器とを設け、送風機の吹出口に隣り合うように設置されるイオン発生装置であって、前記ケーシングは、壁に沿う方向に送風する前記送風機の吹出口に隣り合う壁面に取り付けられる取付面及び該取付面と鋭角をなすように傾斜した２つの傾斜面を外面に有し、該２つの傾斜面の一方に前記流入口を設け、他方に前記流出口を設けてあることを特徴とする。
本発明においては、ケーシングの外面の取付面を壁に沿う方向に送風する送風機の吹出口に隣り合う壁面に取り付け、該送風機の吹出口から吹き出す空気が取付面の方向に沿って該取付面と鋭角をなすように傾斜したケーシングの外面の２つの傾斜面の一方に向かうように該送風機に隣り合わせて設置することにより、送風機の吹出口から吹き出された空気が一方の傾斜面に当たり、該一方の傾斜面に沿って流れるとともに空気の一部が一方の傾斜面に設けた流入口からケーシング内に流入し、通風路を流れるときにイオン発生器が導風面内に放出するイオンが付加され、イオンを含む空気が２つの傾斜面の他方に設けた流出口から外部へ流出する。
【０００９】
本発明に係るイオン発生装置は、外部からの空気の流入が可能な流入口及び外部への空気の流出が可能な流出口を備えたケーシング内に、前記流入口と流出口とを結ぶ通風路と、該通風路内にイオンを放出するイオン発生器とを設け、送風機の吹出口に隣り合うように設置されるイオン発生装置であって、前記ケーシングは、壁に沿う方向に送風する前記送風機の吹出口に隣り合う壁面に取り付けられる取付面及び該取付面と鋭角をなすように傾斜した導風面を外面に有し、該導風面における前記取付面との距離が短い側に前記流入口を設け、前記導風面における前記取付面との距離が長い側に前記流出口を設けてあることを特徴とする。
本発明においては、ケーシングの外面の取付面を壁に沿う方向に送風する送風機の吹出口に隣り合う壁面に取り付け、該送風機の吹出口から吹き出す空気が取付面の方向に沿って該取付面と鋭角をなすように傾斜したケーシングの外面の導風面に向かうように該送風機に隣り合わせて設置することにより、送風機の吹出口から吹き出された空気が前記導風面に取付面との距離が短い側から長い側に向かって当たると、導風面に沿って流れるとともに空気の一部が導風面の取付面との距離が短い側に設けた前記流入口からケーシング内に流入して通風路を流れ、通風路を流れるときにイオン発生器が放出するイオンが付加された空気は導風面の取付面との距離が長い側に位置する前記流出口から外部に流出して導風面に沿って流れる空気に合流する。
【００１０】
本発明に係るイオン発生装置は、前記流出口を設けた側の前記導風面の端部と前記取付面とを繋ぐ部分に第２の流出口を設け、前記通風路内に、前記流入口から前記第２の流出口に向かう空気の一部を前記流出口に導く案内部を設け、前記イオン発生器は前記案内部よりも前記流入口に近い側に設けてあることを特徴とする。
本発明においては、前記通風路を流れてイオンが付加された空気は導風面の取付面との距離が長い側に位置する前記流出口側の導風面の端部と取付面とを繋ぐケーシング部分に設けた第２の流出口に向かって流れて第２の流出口から外部に流出し、第２の流出口に向かう空気の一部は通風路内に設けた案内部によって前記流出口に導かれ、前記流出口から外部に流出して導風面に沿って流れる空気に合流する。
【００１１】
本発明に係るイオン発生装置は、前記流入口及び前記流出口は、夫々前記導風面における前記取付面との距離が短い側と長い側とを結ぶ方向に平行なスリット状の開口部をなして、前記導風面における前記取付面との距離が短い側と長い側とを結ぶ方向と交差する方向に複数並設され、前記流入口と前記流出口とは、スリットの長手方向で整列し、前記並設した方向での位置が同位置であることを特徴とする。
【００１２】
本発明においては、導風面における取付面との距離が短い側と長い側とを結ぶ方向と交差する方向に並設された複数のスリット状の開口部である流入口及び流出口は、スリットの長手方向で整列し、並設した方向で同位置にあるので、流入口からケーシング内に流入し、通風路内を流れてイオンが付加された空気が、並設方向で同位置にある流出口から外部にスムーズに流出することができ、加えて外部に流出した際に、スリット状の開口部である流入口及び流出口の両側の開口部でない導風面に沿って安定状態で流れる空気に合流し、効率よく外部空間に拡散される。
【００１３】
本発明に係るイオン発生装置は、前記流入口及び前記流出口は、前記導風面における前記取付面との距離が短い側と長い側とを結ぶ方向に連なり、該連なり方向に平行なスリット状の開口部をなし、前記導風面における前記取付面との距離が短い側と長い側とを結ぶ方向と交差する方向に複数並設されていることを特徴とする。
【００１４】
本発明においては、導風面における取付面との距離が短い側と長い側とを結ぶ方向と交差する方向に並設されている複数の流入口と流出口とが連なって１つのスリット状の開口部をなしているので、導風面に沿って流れる空気の流量、流速、方向等に適切に対応して、流入口となる開口部と流出口となる開口部との割合が変化する。
また、流入口となるスリット状の開口部からケーシング内に流入し、通風路内を流れてイオンが付加された空気が、同じスリット状の開口部の流出口から外部にスムーズに流出することができ、加えて外部に流出した際に、スリット状の開口部の両側の開口部でない導風面に沿って安定状態で流れる空気に合流し、効率よく外部空間に拡散される。
【００１５】
本発明に係るイオン発生装置は、前記複数のスリット状の開口部は夫々の並設方向でのスリット幅が並設方向で隣り合う開口部の端部間の離隔距離よりも広いことを特徴とする。
本発明においては、スリット状の開口部である流入口及び流出口夫々の並設方向でのスリット幅が並設方向で隣り合う開口部の端部間の離隔距離よりも広く、流入口及び流出口の導風面での開口割合が大きくなるので、ケーシング内に流入しまた外部に流出する空気量が多くなり、より多くのイオンを室内に放出することができる。
【００１６】
本発明に係るイオン発生装置は、外部からの空気の流入が可能な流入口及び外部への空気の流出が可能な流出口を備えたケーシング内に、前記流入口と流出口とを結ぶ通風路と、該通風路内にイオンを放出するイオン発生器とを設け、送風機の吹出口に隣り合うように設置されるイオン発生装置であって、前記ケーシングは、取付対象物に対する取付面及び該取付面と鋭角をなすように傾斜した２つの傾斜面を外面に有し、該２つの傾斜面の一方に前記流入口を設け、他方に前記流出口を設けてあることを特徴とする。
本発明においては、ケーシングの外面の取付面を取付対象物に取り付け、送風機の吹出口から吹き出す空気が取付面の方向に沿って取付面と鋭角をなすように傾斜したケーシングの外面の２つの傾斜面の一方に向かうように送風機の吹出口に隣り合わせて設置することにより、送風機の吹出口から吹き出した空気が一方の傾斜面に当たり、該一方の傾斜面に設けた流入口からケーシング内に流入して通風路を流れ、通風路を流れるときにイオン発生器が放出するイオンが付加され、イオンを含む空気は他方の傾斜面に設けた流出口から外部へ流出する。
【発明の効果】
【００１８】
本発明によれば、取付対象物に取り付けたケーシングの外面の取付面に沿う方向に該取付面と鋭角をなすように傾斜したケーシングの外面の導風面に向かって送風機の吹出口から吹き出した空気を導風面に取付面との距離が短い側から長い側に向かって当てて導風面に沿って通流させながら、空気の一部を導風面の取付面との距離が短い側に設けた流入口からケーシング内に流入させ、ケーシング内の通風路を流れる空気にイオンを付加した後、導風面の取付面との距離が長い側に設けた流出口から外部に流出させて導風面に沿って流れる空気に合流させる構成であるので、壁等に設置されている空気調和機等の送風機を改造することなく、該送風機が発生する風を利用してイオンを居住空間内に効率よく拡散することができるイオン発生装置が提供される。
【００１９】
また、本発明によれば、ケーシングの前記流出口を設けた側の導風面の端部と前記取付面とを繋ぐ部分に第２の流出口を設け、導風面に設けた流入口からケーシング内に流入し、イオンが付加されて第２の流出口に向かって流れる空気の一部を通風路内に設けた案内部によって前記流出口に導き、異なる箇所に設けた前記流出口及び第２の流出口の２つの流出口から外部に流出する構成であるので、さらに効率よくイオンを居住空間内に拡散することができるイオン発生装置が提供される。
【図面の簡単な説明】
【００２０】
【図１】本発明の実施の形態１に係るイオン発生装置の斜視図である。
【図２】図１に示すイオン発生装置の側面図である。
【図３】図１に示すイオン発生装置の下面図である。
【図４】図１に示すイオン発生装置のカバー部を取り外した状態の下面図である。
【図５】イオン発生器の一例を模式的に示す平面図である。
【図６】図１のイオン発生装置のカバー部を開いた状態を示す側面図である。
【図７】図３のＶＩＩ−ＶＩＩ線における側面断面図である。
【図８】図３のＶＩＩＩ−ＶＩＩＩ線における側面断面図である。
【図９】図１のイオン発生装置の設置状態及び動作を示す天井部分の平面図である。
【図１０】図１のイオン発生装置の設置構造及び動作を示す天井部分の側面断面図である。
【図１１】図１のイオン発生装置によるイオン拡散効果を測定する測定点の配置図である。
【図１２】本発明の実施の形態２に係るイオン発生装置の側面断面図である。
【発明を実施するための形態】
【００２１】
以下、本発明に係るイオン発生装置の実施の形態について図面に基づいて説明する。
（実施の形態１）
図１は本発明の実施の形態１に係るイオン発生装置の斜視図、図２は図１に示すイオン発生装置の側面図、図３は図１に示すイオン発生装置の下面図、図４は図１に示すイオン発生装置のカバー部を取り外した状態の下面図、図５はイオン発生器の一例を模式的に示す平面図、図６は図１のイオン発生装置のカバー部を開いた状態を示す側面図、図７は図３のＶＩＩ−ＶＩＩ線における側面断面図、図８は図３のＶＩＩＩ−ＶＩＩＩ線における側面断面図である。尚、図７及び図８は図１のイオン発生装置の構造及び動作を示す。
【００２２】
本実施形態に係るイオン発生装置１は、略直方体形状で一方向に長い形状のベース部３１と、ベース部３１を下側から覆うカバー部３２とを有するケーシング３を備えている。尚、本発明のイオン発生装置１は、後述のように、カバー部３２が下側になる状態でベース部３１の上面を天井等の取付対象物に取り付けるので、ベース部３１の上面を取付面３１ａとする。
【００２３】
ベース部３１の下面には略直方体形状の２個のイオン発生器２を夫々固定するための固定部材３３が長手方向に離間した２箇所に設けてある。それぞれの固定部材３３は、変形しない鉤状の第１の係止部３３１と、先端に鉤部を有する変形可能な第２の係止部３３２とを備えている。イオン発生器２は第１の係止部３３１と第２の係止部３３２とにより側面及び下側縁部が係止されている。
【００２４】
イオン発生器２は、４つのイオン発生部２１，２２を備えている。各イオン発生部２１，２２は針状を成す放電電極２１ａ，２２ａと、放電電極２１ａ，２２ａを囲繞する誘導電極環２１ｂ，２２ｂとを有し、放電電極２１ａ，２２ａはそれぞれ誘導電極環２１ｂ，２２ｂの中心部に配される。イオン発生部２１，２２に電圧を供給する給電部（不図示）が設けられ、給電部から各イオン発生部２１，２２に電圧を供給することによってイオン発生部２１，２２がイオンを発生する。
【００２５】
以下に説明するように、一方のイオン発生部２１がプラスイオンを発生し、他方のイオン発生部２２がマイナスイオンを発生するように構成されている。
一方のイオン発生部２１には放電電極２１ａが正となる電圧が印加され、放電によるプラズマ領域で空気中の水分子が電気的に分解して主として水素イオンＨ+ が生成される。そして、生成された水素イオンＨ+ の周りに空気中の水分子が凝集し、正のクラスターイオンＨ+ （Ｈ2 Ｏ）ｍ（ｍは任意の整数）（以下、「プラスイオン」とする）が形成される。他方のイオン発生部２２には放電電極２２ａが負となる電圧が印加され、放電によるプラズマ領域で空気中の酸素分子が電気的に分解して主として酸素イオンＯ2-が生成される。そして、生成された酸素イオンＯ2-の周りに空気中の水分子が凝集し、負のクラスターイオンＯ2-（Ｈ2 Ｏ）ｎ（ｎは任意の整数）（以下、「マイナスイオン」とする）が形成される。
【００２６】
本実施形態では、プラスイオンを発生させるイオン発生部２１及びマイナスイオンを発生させるイオン発生部２２を備えたイオン発生器２を用いたが、他に、マイナスイオンのみを発生させるイオン発生器や、その他のイオンを発生させるイオン発生器を用いてもよい。また、イオン発生器２のイオン発生部２１，２２から発生するイオンの極性を所定時間毎に切り換えてもよい。
【００２７】
カバー部３２は、側面視で略逆三角形の形状を有し、ベース部３１の長手方向に沿って伸びた形状を有している。カバー部３２は、該逆三角形の２辺に対応する第１の傾斜面３４及び第２の傾斜面３５と、第１の傾斜面３４及び第２の傾斜面３５の両端部に位置する側面３６とを形成する板材で構成されている。
【００２８】
第１の傾斜面である導風面３４には、スリット状の開口部Ｓがカバー部３２の長手方向に複数個形成（並設）されている。スリット状の開口部Ｓは並設方向での幅が並設方向で隣り合う端部間の離隔距離よりも広い。スリット状の開口部Ｓの一方側（取付面３１ａとの距離が短い側）が流入口４となり、スリット状の開口部Ｓの他方側（取付面３１ａとの距離が長い側）が第１の流出口５１となる。即ち、本実施形態においては、流入口４と第１の流出口５１とが一つの連なったスリット状の開口部Ｓを形成している。
【００２９】
また、導風面３４の端部と取付面３１ａとを繋ぐケーシング部分である第２の傾斜面３５にはスリット状の第２の流出口５２が備えられる。尚、第２の流出口５２の形状はスリット状に限らず、例えば１つ又は複数の矩形状の開口部等の形状をしていてもよい。
【００３０】
ベース部３１の下面とカバー部３２の内壁面とにより、流入口４と第１の流出口５１及び第２の流出口５２とを結ぶ通風路７が形成される。第１の傾斜面３４と第２の傾斜面３５とが繋がる逆三角形の頂点部には、カバー部３２の内側から通風路７内へ略鉛直上方に伸び、流入口４から流入した空気流を第１の流出口５１に導く遮風板６が備えられる。遮風板６はカバー部３２の長手方向に沿って伸びた形状を有している。なお、遮風板６は鉛直上方に伸びるものに限るものではなく、第１の流出口５１に風を導く形であれば他の形をしていてもよい。
【００３１】
カバー部３２の両側面３６の上部には、孔が開いた耳部３６ａが延設されている。一方、ベース部３１の長手方向両端には支点軸３１１が備えられている。カバー部３２の耳部３６ａの孔はベース部３１の支点軸３１１に嵌り、カバー部３２は支点軸３１１を中心として、ベース部３１に対して回動することができる。図６にカバー部３２が下側に９０°開いた状態のイオン発生装置１の側面図を示す。
【００３２】
ベース部３１の支点軸３１１とは反対側の端部にはマグネット３１２が備えられており、カバー部３２にはベース部３１のマグネット３１２に対応した位置にマグネット３２１が備えられている。カバー部３２が閉まった状態のときは、カバー部３２のマグネット３２１と、ベース部３１のマグネット３１２とが引き合うことで、カバー部３２が閉まった状態を維持できる。このようにカバー部３２を回動可能とすることで、イオン発生器２を容易に交換及び清掃することができる。
【００３３】
なお、マグネットはイオン発生装置１の長手方向において、イオン発生器２のイオン発生部２１、２２と重ならない位置に備えられている。なるべく、イオンがマグネットに吸収され、イオン濃度が低下するのを防止するためである。
【００３４】
次に、本実施形態に係るイオン発生装置１の設置形態について説明する。図９は図１のイオン発生装置の設置状態及び動作を示す天井部分の平面図、図１０は図１のイオン発生装置の設置構造及び動作を示す天井部分の側面断面図である。
【００３５】
本実施形態に係るイオン発生装置１は天井埋込型空気調和機９の吹出口９１近傍の天井８に設置されている。天井埋込型空気調和機９は空気を４方向に吹き出す４個の吹出口９１を備えている。イオン発生装置１は、天井埋込型空気調和機９の吹出口９１に近い側に第１の傾斜面３４が位置するようにそれぞれの吹出口９１に対して設置してある。尚、天井８には既に照明等が設置されていることもあり、必ずしも全ての吹出口９１に対してイオン発生装置１を設置できるわけではないため、一部の吹出口９１に対してのみ取り付けてもよい。
【００３６】
イオン発生装置１は天井埋込型空気調和機９が設置された天井８の近傍に、ベース部３１の上側の取付面３１ａを天井８の壁に対向させた状態で取り付けて固定されている。固定には固定ボルト８１が使用されている。固定ボルト８１は、ベース部３１側からベース部３１に空けられた孔と、天井８に空けられた孔とを貫通し、天井の裏面側からナット８２で固定されている。
【００３７】
天井埋込型空気調和機９は、吸込口９５と、送風機９４と、熱交換器９３と、吹出口９１とを備える。天井埋込型空気調和機９の運転時は、送風機９４によって吸込口９５から室内の空気を吸い込み、熱交換機９３を通して、吹出口９１から調和空気を吹き出す。吹出口９１には風向変更板９２が設置されている。
【００３８】
天井埋込型空気調和機９によって調和空気は、イオン発生装置１の第１の傾斜面である導風面３４に向かって吹き出される。吹き出される調和空気は、矢印に示す通り、導風面３４に沿って流れる。また、導風面３４の流入口４がある部分では図７の矢印に示す通り、流入口４からイオン発生装置１の内部の通風路７に調和空気が流入する。
【００３９】
ここで、イオン発生器２によって発生させられたイオンはイオン風により、イオン発生器２のイオン発生部２１，２２から下向きに放出される。流入口４から流入した調和空気は、通風路７を流れるときにイオン発生器２が発生させたイオンが付加されて、第１の吹出口５１及び第２の吹出口５２からイオン発生装置１の外部へと放出される。
【００４０】
イオンを含んだ調和空気の一部は、遮風板６に当たり、第１の流出口５１へと導かれ、第１の流出口５１から流出する。第１の流出口５１から流出したイオンを含んだ調和空気は、導風面３４に沿って流れる調和空気と合流し、室内に吹き出される。また、イオンを含んだ調和空気の残りは、第２の流出口５２から流出する。第１の流出口５１から流出したイオンを含んだ調和空気及び第２の流出口５２から流出したイオンを含んだ調和空気により、イオンを効率よく室内に拡散することができる。
【００４１】
このように、傾斜した導風面３４に流入口４を設けることによって、導風面３４に沿うように天井埋込型空気調和機９の吹出口９１から吹き出された調和空気が、傾斜した導風面３４に沿って流れる空気と、イオン発生装置１の流入口４からイオン発生装置１内に入る空気とに分けることができる。
【００４２】
そして、天井埋込型空気調和機９の吹出口９１から吹き出された調和空気の流れ方向で流入口４よりも下流側位置の導風面３４に、第１の流出口５１を設けることによって、イオン発生装置１の内部に流入し、イオンが付加された空気の一部は、第１の流出口５１から流出し、再び導風面３４に沿って流れる空気と合流することができる。
【００４３】
本実施形態１では、流入口４と第１の流出口５１とが連なったスリット状の開口部Ｓを形成しているので、導風面３４に沿って流れる調和空気の流量、流速、方向等に対応して、流入口４となる開口部Ｓの部分と第１の流出口５１となる開口部Ｓの部分との割合を変化させることができる。流入口４となる開口部Ｓの部分割合が大きくなると、イオン発生装置１内に入る空気の量が増加するため、イオン発生装置１内でイオンが付加され、第１の流出口５１及び第２の流出口５２から外部により多くのイオンを含む空気を流出させることができる。
【００４４】
第１の流出口５１から流出する調和空気の量と、第２の流出口５２から流出する調和空気の量の割合は、遮風板６の長さを調整することで変更することができる。遮風板６を長くすれば、第１の流出口５１から流出する調和空気の風量の割合が増え、遮風板６を短くすれば、第１の流出口５１から流出する調和空気の風量の割合が減る。
【００４５】
本実施形態において、遮風板６が室内におけるイオン濃度分布に与える影響を表１に示す。図１１は図１のイオン発生装置によるイオン拡散効果を測定する測定点の配置図である。天井埋込型空気調和機９の吹出口９１近傍の天井にイオン発生装置１を設置した。なお、遮風板６の高さは１０ｍｍとした。天井埋込型空気調和機９は所定条件（運転モード：冷房、設定温度：２８℃、風量：強）で、天井埋込型空気調和機９の風向変更板９２を最も上向きの状態で稼働させた。床面から１．２ｍの高さでイオン発生装置１の鉛直真下の位置をＡ点とし、床面から１．２ｍの高さでイオン発生装置１から水平方向に１ｍ離れた位置をＢ点、同じく２ｍ離れた位置をＣ点とした。
【００４６】
Ａ点、Ｂ点及びＣ点のそれぞれの位置において、イオン発生装置１の遮風板６がある場合及び遮風板６がない場合のプラスイオン濃度及びマイナスイオン濃度を測定した。表１中で＋を付した数字がプラスイオン濃度を表し、−を付した数字がマイナスイオン濃度を表す。表１中の変化率とは、遮風板６がない場合のイオン濃度に対する遮風板６がある場合のイオン濃度の割合である。表１に示す通り、遮風板６がない場合に比べて、遮風板６がある場合はイオン濃度が２５％〜９２％向上した。
【００４７】
【表１】
0005183713.tif 000002
【００４８】
このように、遮風板６を設けることで、第１の流出口５１から吹き出されるイオンを含んだ空気を、導風面３４に沿って流れる空気に合流させ、室内に拡散することで、導風板６を設置しないイオン発生装置と比べて効率よく室内にイオンを拡散することができる。
【００４９】
なお、第２の流出口５２を備えていないイオン発生装置１では、流入口４から流入した空気の抜け（外部への流出）が悪くなるため、イオン発生装置１内に入る調和空気が減る。したがって、イオン発生装置１内で発生したイオンを効率よく室内に拡散することができない。
【００５０】
（実施の形態２）
図１２は本発明の実施の形態２に係るイオン発生装置の側面断面図である。
実施の形態２では、流入口４と第１の流出口５１とがそれぞれ連通しない単独のスリット状の開口部Ｓである点が実施の形態１と異なる。
【００５１】
実施の形態２では、導風面３４に設けられた流入口４の面積を調整することで、イオン発生装置１内に入る空気の量を調整することができる。流入口４の面積を大きくするとイオン発生装置１の中に入る空気の量が増えるため、イオン発生装置１内でより多くのイオンを発生させることができる。
【００５２】
上記の実施の形態１−２では、本発明に係るイオン発生装置１を天井埋込型空気調和機９の吹出口９１近傍の天井８に設置したが、天井埋込型空気調和機に限らず、壁面に設置された送風機に適用することができる。
【符号の説明】
【００５３】
１          イオン発生装置
２          イオン発生器
２１        イオン発生部
２２        イオン発生部
３          ケーシング
３１ａ      取付面
３４        導風面
４          流入口
５１        第１の流出口
５２        第２の流出口
６          遮風板（板片、案内部）
７          通風路
８          天井（取付対象物）
Ｓ          スリット状の開口部
【図１】
0005183713.tif 000003
【図２】
0005183713.tif 000004
【図３】
0005183713.tif 000005
【図４】
0005183713.tif 000006
【図５】
0005183713.tif 000007
【図６】
0005183713.tif 000008
【図７】
0005183713.tif 000009
【図８】
0005183713.tif 000010
【図９】
0005183713.tif 000011
【図１０】
0005183713.tif 000012
【図１１】
0005183713.tif 000013
【図１２】
0005183713.tif 000014